(57)【要約】      （修正有）【課題】ユーザが検出されない場合には前面にデジタル表示がされ、ユーザが検出されることにより、異なるデジタル表示に切換えかつ切り換えられたデジタル表示とユーザの鏡像とを同時に視認可能とさせる表示装置を提供する。【解決手段】表示部、ミラー部、検知部、分析部、切換え部および制御部を含む。ミラー部は、表示部の視認可能側に設けられ、検知部は、ミラー部の前に存在する対象を検知し、分析部は、対象の検知結果に基づき、ミラー部において対象の反射像を表示させるべき一の範囲を算出し、切換え部は、対象の検知有無に基づいて、表示部全面において第１の表示像を表示可能にする第１表示と、一の範囲において反射像を表示可能とし、他の範囲において表示部による第２の表示像を表示可能とする第２表示とを切換え、制御部は、切換え部により第２表示に切換えられた場合、一の範囲におけるミラー部の反射率を相対的に制御する。【選択図】図１
2014238434.tif 000002
【特許請求の範囲】
【請求項１】
表示部と、
前記表示部の視認可能側に設けられ、かつ反射率および透過率の少なくともいずれかが可変であるミラー部と、
前記ミラー部の前に存在する対象を検知する検知部と、
前記検知部による前記対象の検知結果に基づき、前記ミラー部において前記対象の反射像を表示させるべき少なくとも一の範囲を算出する分析部と、
前記検知部の前記対象の検知有無に基づいて、表示部全面において第１の表示像を表示可能にする第１表示と、前記少なくとも一の範囲において前記反射像を表示可能とし、他の範囲において前記表示部による第２の表示像を表示可能とする第２表示とを切換える切換え部と、
前記切換え部により第２表示に切換えられた場合、前記少なくとも一の範囲における前記ミラー部の反射率および透過率の少なくともいずれかを相対的に制御する制御部と、を含む表示装置。
【請求項２】
前記第１の表示像および前記第２の表示像の少なくともいずれかをインターネットを介して取得する通信部をさらに含む、請求項１に記載の表示装置。
【請求項３】
前記第１の表示像および前記第２の表示像の少なくともいずれかについて操作を行う操作部をさらに含む、請求項１または２に記載の表示装置。
【請求項４】
前記第２の表示像を操作する操作部が、前記検知部による検知信号を操作信号に変換する、請求項３に記載の表示装置。
【請求項５】
前記検知部が、前記対象を撮影するカメラ、前記対象との距離を検知するセンサ、および前記対象の温度を検知するセンサの少なくともいずれかである、請求項１から４のいずれか１項に記載の表示装置。
【請求項６】
前記分析部が、前記対象の顔と前記ミラー部とが相対向していると判断された場合にのみ、前記切換え部が前記第２表示に切換える、請求項１から５のいずれか１項に記載の表示装置。
【請求項７】
前記対象の検知結果が、前記対象の少なくとも一部の輪郭である、請求項１から６のいずれか１項に記載の表示装置。
【請求項８】
前記少なくとも一の範囲の外縁が前記輪郭に対応する、請求項７に記載の表示装置。
【請求項９】
前記対象の検知結果が、前記対象の顔または顔の構成部位の位置である、請求項１から６のいずれか１項に記載の表示装置。
【請求項１０】
前記少なくとも一の範囲が、前記位置を基準とした所定の範囲である、請求項９に記載の表示装置。
【請求項１１】
前記検知部は、録画可能な録画装置をさらに含み、
前記録画装置は、
前記検知部により前記対象の回転を検知した場合、録画モードを開始し、
前記対象の回転が終了する場合、または前記録画モードの開始から所定の時間が経過した場合に前記録画モードを中断し、録画した録画像を前記第２の表示像として前記表示部に表示する、請求項１から請求項１０のいずれか１項に記載の表示装置。
【請求項１２】
表示部と、前記表示部の視認可能側に設けられ、かつ反射率および透過率の少なくともいずれかが可変であるミラー部を含む表示装置に像を表示する表示プログラムであって、
前記ミラー部の前に存在する対象を検知する検知処理と、
前記検知処理による前記対象の検知結果に基づき、前記ミラー部において前記対象の反射像を表示させるべき少なくとも一の範囲を算出する分析処理と、
前記検知処理による前記対象の検知有無に基づいて、前記表示部全面において第１の表示像を表示可能にする第１表示と、前記少なくとも一の範囲において前記反射像を表示可能とし、他の範囲において前記表示部による第２の表示像を表示可能とする第２表示とを切換える切換え処理と、
前記切換え処理により第２表示に切換えられた場合、前記少なくとも一の範囲における前記ミラー部の反射率および透過率の少なくともいずれかを相対的に制御する制御処理と、を含む表示プログラム。
【請求項１３】
前記検知処理によって、前記対象の顔と前記ミラー部とが相対向していると判断された場合にのみ、前記切換え処理により前記第２表示に切換える、請求項１２に記載の表示プログラム。
【請求項１４】
前記検知処理は、録画可能な録画処理をさらに含み、
前記録画処理は、
前記検知処理により前記対象の回転を検知した場合、録画モードを開始し、
前記対象の回転が終了する場合、または前記録画モードの開始から所定の時間が経過した場合に前記録画モードを中断し、録画した録画像を前記第２の表示像として前記表示部に表示する、請求項１２または１３に記載の表示プログラム。
【請求項１５】
表示部と、前記表示部の視認可能側に設けられ、かつ反射率および透過率の少なくともいずれかが可変であるミラー部を含む表示装置に像を表示する表示方法であって、
前記ミラー部の前に存在する対象を検知する検知工程と、
前記検知工程による前記対象の検知結果に基づき、前記ミラー部において前記対象の反射像を表示させるべき少なくとも一の範囲を算出する分析工程と、
前記検知工程による前記対象の検知有無に基づいて、前記表示部全面において第１の表示像を表示可能にする第１表示と、前記少なくとも一の範囲において前記反射像を表示可能とし、他の範囲において前記表示部による第２の表示像を表示可能とする第２表示とを切換える切換え工程と、
前記切換え工程により第２表示に切換えられた場合に、前記少なくとも一の範囲における前記ミラー部の反射率および透過率の少なくともいずれかを相対的に制御する制御工程と、を含む表示方法。
【請求項１６】
前記検知工程によって、前記対象の顔と前記ミラー部とが相対向していると判断された場合にのみ、前記切換え工程により前記第２表示に切換える、請求項１５に記載の表示方法。
【請求項１７】
前記検知工程は、録画可能な録画工程をさらに含み、
前記録画工程は、
前記検知工程により前記対象の回転を検知した場合、録画モードを開始し、
前記対象の回転が終了する場合、または前記録画モードの開始から所定の時間が経過した場合に前記録画モードを中断し、録画した録画像を前記第２の表示像として前記表示部に表示する、請求項１５または１６に記載の表示方法。
【発明の詳細な説明】
【技術分野】
【０００１】
本発明は、鏡およびデジタル表示の同時使用が可能な表示装置、表示プログラムおよび表示方法に関する。
【背景技術】
【０００２】
特開２００７−２７９４４５号公報（特許文献１）に記載の画像表示装置は、表示部の表示面側に反射率可変のハーフミラーを設け、ハーフミラーによる反射像と表示部の表示画像とを重ね合わせて表示する画像表示装置であって、表示部に表示される表示画像に対応する部分のハーフミラーの反射率を制御する反射率制御部を具備することを特徴とする。
【０００３】
特開２０１０−２６６５１０号公報（特許文献２）に記載のミラーシステムは、映像をユーザに視認可能に表示する表示部と、表示部の表示面に重ね合わされたハーフミラーと、ユーザを撮像するカメラと、表示部に対するユーザの目の位置を検出する目位置検出手段と、カメラにより撮像された画像内におけるユーザの特定部位を検出する特定部位検出手段と、目位置検出手段により検出された目の位置及び特定部位検出手段により検出された特定部位に基づいて、表示部に映像を表示する際の基準位置となる表示基準位置を決定し、この表示基準位置に映像の軸が一致するように映像の表示位置を制御する表示位置制御手段と、を備えることを特徴とする。
【先行技術文献】
【特許文献】
【０００４】
【特許文献１】特開２００７−２７９４４５号公報
【特許文献２】特開２０１０−２６６５１０号公報
【発明の概要】
【発明が解決しようとする課題】
【０００５】
特許文献１には、ハーフミラーによるユーザの鏡像と、ユーザの別角度の像との両方の表示を同時に行うことが教示されている。特許文献２には、被写体の輪郭検出、反射率制御範囲の計算および反射率制御により、ハーフミラーによるユーザの鏡像と、映像とが重ならないよう同時表示することが教示されている。
しかしながら、ユーザが検出されない場合には前面にデジタル表示がされ、ユーザが検出されることにより、異なるデジタル表示に切換えかつ切り換えられたデジタル表示とユーザの鏡像とを同時に視認可能とさせる表示装置は示唆されていない。
【０００６】
本発明の目的は、ユーザが検出されない場合には前面にデジタル表示がされ、ユーザが検出されることにより、異なるデジタル表示に切換えかつ切り換えられたデジタル表示とユーザの鏡像とを同時に視認可能とさせる表示装置を提供することにある。
【課題を解決するための手段】
【０００７】
（１）
第一の局面にかかる表示装置は、表示部と、ミラー部と、検知部と、分析部と、切換え部と、制御部とを含む。
ミラー部は、表示部の視認可能側に設けられる。
検知部は、ミラー部の前に存在する対象を検知する。
分析部は、検知部による対象の検知結果に基づき、ミラー部において対象の反射像を表示させるべき少なくとも一の範囲を算出する。
切換え部は、検知部による対象の検知有無に基づいて、表示部全面において第１の表示像を表示可能にする第１表示と、少なくとも一の範囲において反射像を表示可能とし、他の範囲において表示部による第２の表示像を表示可能とする第２表示とを切換える。
制御部は、切換え部により第２表示に切換えられた場合、少なくとも一の範囲におけるミラー部の反射率および透過率の少なくともいずれかを相対的に制御する。
【０００８】
これによって、対象の検知結果に基づいて、対象の反射像が視認可能な範囲が決定されることにより、当該範囲を鏡として使用しつつ、それ以外の範囲をディスプレイとして使い分けることができる。さらに、対象が検知されない場合は全面表示装置として使用可能である一方、対象の検知を契機として、特定の範囲では対象の反射像を視認するとともに、当該範囲外では異なる表示に切り替えることができる。
【０００９】
（２）
表示装置は、第１の表示像および第２の表示像の少なくともいずれかをインターネットを介して取得する通信部をさらに含んでよい。
【００１０】
これによって、表示部に、インターネット通信によって取得される情報を表示させることができる。
【００１１】
（３）
表示装置は、第１の表示像および第２の表示像の少なくともいずれかについて操作を行う操作部をさらに含んでよい。
【００１２】
これによって、表示部に表示される情報の入力操作、および表示された情報の制御操作等、表示に関する任意の操作が可能である。
【００１３】
（４）
第２の表示像を操作する操作部は、検知部による検知信号を操作信号に変換するものであってよい。
【００１４】
これによって、対象自身が非接触インターフェースによって、対象の反射像とともに表示される表示像の操作を行うことができる。
（５）
検知部は、対象を撮影するカメラ、対象との距離を検知するセンサ、および対象の温度を検知するセンサの少なくともいずれかであってよい。
【００１５】
これによって、対象の像、対象との距離、および対象の温度の少なくともいずれかを認識することで対象が表示装置から所定範囲内に存在することを検知することが可能である。さらに、対象の像のイメージ処理、対象との距離に基づいたイメージング結果、および対象の温度に基づいたイメージング結果の少なくともいずれかに基づいて、対象の反射像を視認可能な範囲を決定することができる。
【００１６】
（６）
分析部が、対象の顔とミラー部とが相対向していると判断された場合にのみ、切換え部は第２表示に切り替えるようにしてよい。
【００１７】
これによって、対象が検出位置でミラー部を見ている場合にのみ表示が切換わり、対象がミラー部を見ていない場合には表示が切換わらない。従って、不所望な場合に表示切換えを防ぐことができる。
【００１８】
（７）
対象の検知結果は、対象の少なくとも一部の輪郭であってよい。
これによって、対象の少なくとも一部の輪郭に基づいて、対象の反射像を視認可能な範囲を決定することができる。
【００１９】
（８）
反射像を表示する少なくとも一の範囲の外縁は、対象の輪郭に対応するように設定されてよい。
これによって、対象の反射像を視認可能な範囲を、対象の輪郭に対応した必要最小限とし、それ以外の範囲をディスプレイとして最大限利用することができる。
【００２０】
（９）
対象の検知結果は、対象の顔または顔の構成部位の位置であってよい。
これによって、対象の顔の位置または顔の構成部位の位置を基準として、対象の反射像を視認可能な範囲を決定することができる。
【００２１】
（１０）
反射像を表示する少なくとも一の範囲が、対象の顔または顔の構成部位の位置を基準とした所定の範囲であってよい。
これによって、対象の顔の位置または顔の構成部位の位置を基準として、対象の反射像を視認可能な範囲を任意の面積および形状で決定することができる。
【００２２】
（１１）
検知部は、録画可能な録画装置をさらに含み、録画装置は、検知部により対象の回転を検知した場合、録画モードを開始し、対象の回転が終了する場合、または開始から所定の時間が経過した場合に録画モードを中断し、録画した録画像を第２の表示像として表示部に表示してもよい。
【００２３】
これによって、録画された対象の回転状態を表示することができる。その結果、鉛直軸周り３６０度方向からの対象の像を確認することができる。
【００２４】
（１２）
他の局面にかかる表示プログラムは、表示部と、表示部の視認可能側に設けられ、かつ反射率および透過率の少なくともいずれかが可変であるミラー部を含む表示装置に像を表示する表示プログラムであり、検知処理と、分析処理と、切換え処理と、制御処理と、を含む。
検知処理は、ミラー部の前に存在する対象を検知する。
分析処理は、検知処理による対象の検知結果に基づき、ミラー部において対象の反射像を表示させるべき少なくとも一の範囲を算出する。
切換え処理は、検知処理による対象の検知有無に基づいて、表示部全面において第１の表示像を表示可能にする第１表示と、少なくとも一の範囲において反射像を表示可能とし、他の範囲において表示部による第２の表示像を表示可能とする第２表示とを切換える。
制御処理は、切換え処理により第２表示に切換えられた場合、少なくとも一の範囲におけるミラー部の反射率および透過率の少なくともいずれかを相対的に制御する。
【００２５】
これによって、対象の検知結果に基づいて、対象の反射像が視認可能な範囲が決定されることにより、当該範囲を鏡として使用しつつ、それ以外の範囲をディスプレイとして使い分けることができる。さらに、対象が検知されない場合は全面表示装置として使用可能である一方、対象の検知を契機として、特定の範囲では対象の反射像を視認するとともに、当該範囲外では異なる表示に切り替えることができる。
【００２６】
（１３）
本発明の表示プログラムにおいては、検知処理によって対象の顔とミラー部とが相対向していると判断された場合にのみ、切換え処理により第２表示に切換えることができる。
【００２７】
これによって、対象が検出位置でミラー部を見ている場合にのみ表示が切換わり、対象がミラー部を見ていない場合には表示が切換わらない。従って、不所望な場合に表示切換えを防ぐことができる。
【００２８】
（１４）
本発明の表示プログラムにおいては、検知処理は、録画可能な録画処理をさらに含み、録画処理は、検知処理により対象の回転を検知した場合、録画モードを開始し、対象の回転が終了する場合、または開始から所定の時間が経過した場合に録画モードを中断し、録画した録画像を第２の表示像として表示部に表示してもよい。
【００２９】
これによって、録画された対象の回転状態を表示することができる。その結果、鉛直軸周り３６０度方向からの対象の像を確認することができる。
【００３０】
（１５）
さらに他の局面にかかる表示方法は、表示部と、表示部の視認可能側に設けられ、かつ反射率および透過率の少なくともいずれかが可変であるミラー部を含む表示装置に像を表示する表示方法であり、検知工程と、分析工程と、切換え工程と、制御工程と、を含む。
検知工程においては、ミラー部の前に存在する対象を検知する。
分析工程においては、検知工程による対象の検知結果に基づき、ミラー部において対象の反射像を表示させるべき少なくとも一の範囲を算出する。
切換え工程においては、検知工程による対象の検知有無に基づいて、表示部全面において第１の表示像を表示可能にする第１表示と、少なくとも一の範囲において反射像を表示可能とし、他の範囲において表示部による第２の表示像を表示可能とする第２表示とを切換える。
制御工程においては、切換え工程において第２表示に切換えられた場合、少なくとも一の範囲におけるミラー部の反射率および透過率の少なくともいずれかを相対的に制御する。
【００３１】
これによって、対象の検知結果に基づいて、対象の反射像が視認可能な範囲が決定されることにより、当該範囲を鏡として使用しつつ、それ以外の範囲をディスプレイとして使い分けることができる。さらに、対象が検知されない場合は全面表示装置として使用可能である一方、対象の検知を契機として、特定の範囲では対象の反射像を視認するとともに、当該範囲外では異なる表示に切り替えることができる。
【００３２】
（１６）
本発明の表示方法においては、検知工程において対象の顔とミラー部とが相対向していると判断された場合にのみ、切換え工程において第２表示に切換えることができる。
【００３３】
これによって、対象が検出位置でミラー部を見ている場合にのみ表示が切換わり、対象がミラー部を見ていない場合には表示が切換わらない。従って、不所望な場合に表示切換えを防ぐことができる。
【００３４】
（１７）
本発明の表示方法においては、検知工程は、録画可能な録画工程をさらに含み、録画工程は、検知工程により対象の回転を検知した場合、録画モードを開始し、対象の回転が終了する場合、または開始から所定の時間が経過した場合に録画モードを中断し、録画した録画像を第２の表示像として表示部に表示してもよい。
【００３５】
これによって、録画された対象の回転状態を表示することができる。その結果、鉛直軸周り３６０度方向からの対象の像を確認することができる。
【発明の効果】
【００３６】
本発明により、ユーザが検出されない場合には前面にデジタル表示がされ、ユーザが検出されることにより、異なるデジタル表示に切換えかつ切り換えられたデジタル表示とユーザの鏡像とを同時に視認可能とさせる表示装置を提供することができる。
【図面の簡単な説明】
【００３７】
【図１】第１実施形態にかかる表示装置の一例を示すブロック図である。
【図２】第１実施形態にかかる表示装置による表示の一例を示す模式図である。
【図３】第１実施形態にかかる表示装置における処理の一例を示すフローチャートである。
【図４】第１実施形態において鏡表示範囲を決定する処理の一例を示すフローチャートである。
【図５】第１実施形態において鏡表示範囲を決定する処理の他の例を示すフローチャートである。
【図６】第１実施形態にかかる表示装置による表示の他の例を示す模式図である。
【図７】第１実施形態にかかる表示装置による表示のさらに他の例を示す模式図である。
【図８】第１実施形態にかかる表示装置における処理の他の例を示すフローチャートである。
【図９】第２実施形態にかかる表示装置の一例を示すブロック図である。
【図１０】第３実施形態にかかる表示装置の一例を示すブロック図である。
【図１１】第４実施形態にかかる表示装置の一例を含む表示システムのブロック図である。
【図１２】第４実施形態にかかる表示装置に関連する処理を示すフローチャートである。
【図１３】第５実施形態にかかる表示装置の一例を示すブロック図である。
【発明を実施するための形態】
【００３８】
［第１実施形態］
以下に、本発明を、その実施の形態を表す図面を参照し詳述する。以下の説明では、同一の構成には同一の符号を付している。それらの名称および機能も同じである。したがって、それらについての詳細な説明は繰り返さない。
【００３９】
図１は、第１実施形態にかかる表示装置の一例を示すブロック図である。図２（ａ）及び図２（ｂ）は、第１実施形態にかかる表示装置による表示の例を示す模式図である。図３は、第１実施形態にかかる表示装置における処理の例を示すフローチャートである。
【００４０】
（表示装置１００）
図１に示すように、表示装置１００は、表示部２００、ミラー部３００、検知部４００、分析部５００、制御部６００、および切換え部７００を含む。
【００４１】
（表示部２００）
表示部２００としては、画像を表示可能なあらゆる電子光学装置を用いることができ、例えば、プラズマディスプレイパネル（ＰＤＰ）、液晶表示装置（ＬＣＤ）および有機エレクトロルミネッセンス装置、無機エレクトロルミネッセンス装置、電界放出ディスプレイ（ＦＥＤ）、発光ダイオード（ＬＥＤ）表示装置などが挙げられる。
【００４２】
（ミラー部３００）
ミラー部３００は、図２（ａ）に示すように、表示部２００の視認可能側（前面側）に重ね合わせて設けられる。ミラー部３００は、反射率および透過率の少なくともいずれかが可変である構造体を用いることができる。
【００４３】
本実施形態においては、ミラー部３００は、ハーフミラー３１０と、ハーフミラー３１０に重ね合わされたシャッタ３３０とを含む。
【００４４】
ハーフミラー３１０は、所定の反射率および所定の透過率を有するものである。具体的には、ハーフミラー３１０は、入射した光のうち任意の光量を透過させ、他方、入射した任意の光量のうち残りの光量を反射させるものである。
【００４５】
より具体的には、ハーフミラー３１０としては、光半透過性膜が透明基板表面に設けられているものが挙げられる。光半透過性膜としては、金属（例えば、錫、銀およびアルミニウムなど）およびケイ素から選択される元素を含む薄膜が挙げられる。透明基板としては、ガラスおよび樹脂などの無色透明の部材が挙げられる。光半透過性は、塗布、貼り付け、蒸着およびスパッタリングなどの手法により、透明基板表面に設けられる。
【００４６】
シャッタ３３０は、たとえば、ハーフミラー３１０の表示部２００側の面および反対側の面の少なくともいずれかに重ね合わされて設けられる。シャッタ３３０は、所定範囲単位（好ましくは表示部２００の画素単位）で開閉可能である。シャッタ３３０としては、好ましくは電気的に開閉自在なものが挙げられる。電気的に開閉自在なシャッタの代表例として、液晶シャッタが挙げられる。
【００４７】
ミラー部３００は、所定範囲でシャッタ３３０が開状態となった場合に、当該範囲でハーフミラー３１０に入射した光を透過させる。この場合、ハーフミラー３１０は透過性を具備することにより、背面に位置する表示部２００の表示像を視認させる。したがって、図２（ａ）に示すように、表示部２００による第１表示像２１０を視認させる。同様に、図２（ｂ）に示すように、所定の範囲において、表示部２００による第２表示像２２０を視認させる。
【００４８】
一方、ミラー部３００は、所定範囲でシャッタ３３０が閉状態となった場合に、当該範囲でハーフミラー３１０に入射した光を反射させる。この場合、ハーフミラー３１０は反射性を具備し、鏡として機能する。したがって、図２（ｂ）に示すように、対象Ｔの鏡像３５０を視認させる。
【００４９】
（検知部４００）
検知部４００は、ミラー部３００に鏡像３５０として映し出すべき対象Ｔについて、少なくともその存在を検知するように設けられる。たとえば、電磁気的性質および熱的性質の少なくともいずれかの性質またはそれらに基づく対象の空間情報を検知信号に変換する装置であればどのようなセンサを用いてもよい。具体的には、赤外線検出による距離センサ、光検出によるイメージセンサ、および温度検出による温度センサが挙げられる。これらは、単独でまたは複数が組み合わされて用いられてよい。
【００５０】
複数のセンサが組み合わされている例として、距離センサとイメージセンサとを組み合わせることにより、物体を３次元座標により画素単位で測定できる赤外線投影方式の奥行きカメラ（具体例として、マイクロソフト社のＫｉｎｅｃｔ（登録商標））等が挙げられる。
【００５１】
検知部４００が距離センサであれば、対象Ｔまでの距離が所定範囲内であると検知した場合に対象Ｔを検知したと判断することができる。検知部４００がイメージセンサであれば、対象Ｔの外観またはその特徴部を所定の大きさ等で検知した場合に対象Ｔを検知したと判断することができる。検知部４００が温度センサであれば、対象Ｔの表面温度を検知した場合に対象Ｔを検知したと判断することができる。このように、検知部４００は、対象Ｔが図２（ａ）に示す位置から、図２（ｂ）に示す位置すなわちミラー部３００から所定の範囲内に入れば、対象Ｔを検知したと判断することができる。
【００５２】
（分析部５００）
分析部５００は、ミラー部３００に対象Ｔの鏡像３５０を視認させる範囲を決定するものである。分析部５００には、検知部４００による対象の検知結果に基づいて鏡像３５０を視認させる範囲（鏡表示範囲）を算出し決定するプログラムが記録されている。鏡表示範囲を決定する処理については、図４および図５を参照して後述する。
【００５３】
（制御部６００）
制御部６００は、分析部５００によって決定された範囲において、ミラー部３００の反射率および透過率の少なくともいずれかを相対的に制御する。具体的には、当該範囲におけるミラー部３００の反射率が、他の範囲より高くなるように制御する。または、当該範囲におけるミラー部３００の透過率が、他の範囲より小さくなるように制御する。
【００５４】
本実施形態において、制御部６００は、シャッタ３３０の開閉状態を制御する。制御部６００がシャッタ３３０を開状態にすることにより、ハーフミラー３１０に透過性をもたせる。これによって、図２（ａ）に示すように、表示部２００による第１表示像２１０を視認させることができる。同様に、図２（ｂ）に示すように、所定の範囲において、表示部２００による第２表示像２２０を視認させることができる。一方、制御部６００がシャッタ３３０を閉状態にすることにより、ハーフミラー３１０に反射性をもたせる。これによって、図２（ｂ）に示すように、対象Ｔの鏡像３５０を視認させることができる。
【００５５】
（切換え部７００）
切換え部７００は、表示部２００に表示させる表示像の内容および範囲を切換える。切換え部７００は、表示内容切換え部７１０と、表示範囲切換え部７２０とを含む。
表示内容切換え部７１０は、検知部４００による対象Ｔの検知有無を契機として、表示する内容を切換える。具体的には、図２（ａ）に示す、検知部４００によって対象Ｔが検出されない場合の第１表示像２１０と、図２（ｂ）に示す、検知部４００によって対象Ｔが検出された場合の第２表示像２２０とを切り替える。
【００５６】
表示範囲切換え部７２０は、表示内容切換え部７１０による表示内容の切換えと同時に、表示範囲を切り替える。検知部４００によって対象Ｔを検知した場合は、分析部５００によって決定された範囲に応じて表示範囲を切り替える。
具体的には、検知部４００によって対象Ｔを検知しない場合は、図２（ａ）に示すように、第１表示像２１０を表示部２００の全範囲に表示する。検知部４００によって対象Ｔを検知した場合は、図２（ｂ）に示すように、第２表示像２２０を、表示部２００の一部の範囲すなわち分析部５００によって決定された範囲以外の範囲に表示する。
【００５７】
（表示装置１００による処理）
表示装置１００においては、図３に示すように、ミラー部３００のハーフミラー３１０全体を透過させることにより表示部２００全体に第１表示像２１０を透過表示させた状態（ステップＳ１１、図２（ａ））で、対象Ｔがミラー部３００から所定範囲内に入ったことを検知部４００が検知すると（ステップＳ１２のＹｅｓ、図２（ｂ））、検知結果に基づき、分析部５００によって対象Ｔの鏡像３５０を視認させる鏡表示範囲を決定する（ステップＳ１３）。
【００５８】
制御部６００によって、ステップＳ１３で決定されたミラー部３００の鏡表示範囲の反射率が制御される（ステップＳ１４）。これによって、ミラー部３００のハーフミラー３１０に対象Ｔの鏡像３５０を視認可能にする。また、切換え部７００の表示範囲切換え部７２０と表示内容切換え部７１０によって、それぞれ、表示範囲がステップＳ１３による範囲以外の範囲に切換えられるとともに、表示内容が第２表示像２２０に切換えられる（ステップＳ１５）。
一方、検知部４００によって対象Ｔが検知されない場合（ステップＳ１２のＮｏ）、第１表示像２１０を透過表示し続ける。
【００５９】
（鏡表示範囲決定処理）
図４および図５に、分析部５００によって、ミラー部３００の反射率を相対的に高く制御する範囲（鏡表示範囲）を決定する処理の例を示す。図６は、第１実施形態にかかる表示装置による表示の他の例を示す模式図である。
【００６０】
図４は、鏡表示範囲を対象Ｔの輪郭（図２（ｂ）の輪郭３６０）およびその内部とする場合の処理である。図４に示すように、検知部４００によって対象Ｔを検知し（ステップＳ２１）、対象Ｔを撮影する（ステップＳ２２）。撮影した像から、対象Ｔの輪郭（図２（ｂ）の輪郭３６０）を抽出する（ステップＳ２３）。
【００６１】
輪郭抽出法としては、撮像データから輪郭を抽出可能ないかなる手法を用いてもよい。たとえば、距離センサによる撮像データを用いる、および温度センサによる撮像データを用いる場合は、撮像データを二値化することによって、輪郭を抽出することができる。たとえば、イメージセンサによる撮像データを用いる場合は、撮像データをパターンマッチングすることによって、輪郭を抽出することができる。
【００６２】
輪郭３６０が抽出されると、抽出された輪郭３６０およびその内部の範囲を算出し、鏡表示範囲として決定する（ステップＳ２４）。これによって、図３で説明したとおり、当該範囲においてミラー部３００の反射率を高くされた結果、図２（ｂ）に示すように、輪郭３６０およびその内部の範囲において、対象Ｔの鏡像３５０が視認可能となる。
【００６３】
図５は、鏡表示範囲を対象Ｔの顔の周囲を含む範囲（図６の枠３６１およびその内部）とする場合の処理である。図５に示すように、検知部４００によって対象Ｔを検知し（ステップＳ３１）、対象Ｔを撮影する（ステップＳ３２）。撮影した像から、対象Ｔの身長を計算し（ステップＳ３３）、顔の位置を抽出する（ステップＳ３４）。顔位置の抽出においては、身長から、標準的な人体の構造に基づいて顔の位置を抽出することができる。
【００６４】
抽出された顔位置の情報に基づいて、鏡表示範囲が決定される（ステップＳ３５）。鏡表示範囲の決定においては、顔位置から、標準的な人体の構造に基づいて顔の大きさを計算し、その顔の大きさを含む範囲を計算する。当該範囲の外縁は、図６の枠３６１として示されるように、矩形状とすることができるが、これに限定されず、顔全体を内包する形状であればどのような形状であってもよい。例えば、円形、任意の多角形、それらの組み合わせおよびそれらの変形図形であってもよい。
【００６５】
なお、分析部５００によって決定される鏡表示範囲は、検知部４００によって最初に検知された瞬間から所定の時間経過後の検知結果に基づいていることが好ましい。所定の時間は、対象Ｔがミラー部３００の前で立ち止った時（たとえば、対象Ｔの顔などの特徴部の位置および大きさの少なくともいずれかの変動がほぼなくなった時）を目安にすることができる。
【００６６】
（顔の向きを考慮する処理）
図７は、第１実施形態にかかる表示装置による表示のさらに他の例を示す模式図である。図８は、第１実施形態にかかる表示装置における処理の他の例を示すフローチャートである。
【００６７】
図８に示すように、ミラー部３００のハーフミラー３１０全体を透過させることにより表示部２００全体に第１表示像２１０を表示させた状態（ステップＳ４１）で、対象Ｔがミラー部３００から所定範囲内に入ったことを、赤外線センサである検知部４００が検知する（ステップＳ４２）。赤外線センサによる対象Ｔのデプスマップを二値化することにより、輪郭を抽出する（ステップＳ４３）。
【００６８】
さらに、顔認識を行う（ステップＳ４４）。顔認識においては、デプスマップから顔部分および顔の特徴部を抽出することができる。例えば、顔の中央付近に鼻に相当する１個所の凸部を検出する。その他、一般的な人体の顔の構造に基づき、顔の凹凸の特徴を検出することができる。これによって、顔の向きが前向きであるか否かを判断する（ステップＳ４５）。
【００６９】
顔の向きが前でないと判断した場合（ステップＳ４５の前以外）、図７（ａ）に示すように、ミラー部３００には、第１表示像２１０が透過表示され続ける。図７（ａ）に示す対象Ｔのミラー部３００からの距離は、図２（ｂ）に示す対象Ｔのミラー部３００からの距離と同じである。しかしながら、図７（ａ）においては、対象Ｔの顔がミラー部３００に対面していないため、ミラー部３００における表示が第１表示像２１０のまま切換わらない。
【００７０】
一方、顔の向きが前であると判断した場合（ステップＳ４５の前）、鏡表示範囲を決定する（ステップＳ４６）。鏡表示範囲の決定においては、ステップＳ４３で抽出された輪郭またはステップＳ４４で抽出された顔部分の位置に基づき、分析部５００によって対象Ｔの鏡像３５０を視認させる範囲を決定する。
【００７１】
さらに、制御部６００によって、ステップＳ４６で決定されたミラー部３００の鏡表示範囲の反射率が制御される（ステップＳ４７）。これによって、ミラー部３００のハーフミラー３１０に対象Ｔの鏡像３５１を視認可能にする。また、切換え部７００の表示範囲切換え部７２０と表示内容切換え部７１０によって、それぞれ、表示範囲がステップＳ４６による範囲以外の範囲に切換えられるとともに、表示内容が第２表示像２２０に切換えられる（ステップＳ４８）。
【００７２】
これによって、図７（ｂ）に示すように、対象Ｔが少なくとも顔をミラー部３００に対面するように動かした場合に、ミラー部３００に対象Ｔの鏡像３５１が視認可能となり、かつ、ミラー部３００の鏡表示範囲以外の範囲においては、第２表示像２２０が透過表示される。
【００７３】
なお、上述の処理では、輪郭抽出および顔認識を、赤外線センサの検知情報に基づいて行う例を示したが、これに限定されず、たとえばイメージセンサの検知情報を利用し、異なった色を持つ領域の間に存在する境界を輪郭として抽出し、かつ、イメージのパターンマッチングによって目、鼻、口等の顔を構成する特徴部の位置を検出することにより顔認識を行ってもよい。
【００７４】
また、上述の処理では、顔の向きを判断する場合に、対象Ｔの顔が前向きである場合にのみ第２表示像２２０を切換える例を示したが、これに限定されず、たとえば顔が横向きである場合を含め、ミラー部３００が視界に入る顔の角度である場合であれば第２表示像２２０に切換えることとしてもよい。
【００７５】
また、対象Ｔの検知によって鏡表示範囲が決定された後は、所定の時間において、対象Ｔの顔の向きに関わらず、決定された鏡表示範囲内で鏡像３５１の表示を継続させてよい。この場合の鏡像３５１の継続表示は、対象Ｔがミラー部３００から所定の距離内に存在することを条件としてもよい。これによって、鏡表示範囲が決定された後に対象Ｔが後ろを振り向いたとしても、鏡像３５１の表示が鏡表示範囲内で継続するため、所定時間内に再度、顔の向きを前に戻した場合に、無用な鏡表示の切り換えが発生することが無い。
【００７６】
（第１表示像および第２表示像）
第１表示像２１０および第２表示像２２０は、互いに異なる像であれば、いかなる電子情報であってもよい。したがって、第１表示像２１０および第２表示像２２０の表示においては、写真および絵画等の静止画、動画、および文字情報が単独でまたは組み合わされて表示される。表示の内容としては、商業用途の広告および販促情報；地域および建物の案内情報；非商業用途の写真、絵画および電子書籍；ニュース、カレンダー、時計、気象等情報の諸情報；アプリケーションプログラムへアクセスするためのアイコン；ブラウザ、メーラその他のプログラム画面；ならびにキーボードなどの入力インターフェースなどが挙げられる。
【００７７】
特に、第２表示像２２０は、対象Ｔに直接的に訴求するための情報であることが好ましい。図２（ｂ），図６，図７（ｂ）に示す例では、第２表示像２２０として、広告２２１、カレンダー２２２、時計２２３、天気予報２２４およびニュース２２５が組み合わされて表示される。
また、別のイメージセンサを、対象Ｔの背後に位置するように設けた場合、第２表示像２２０として、当該別のイメージセンサによる対象Ｔの後ろ姿を表示しても良い。
【００７８】
［第２実施形態］
図９は、第２実施形態にかかる表示装置の一例を示すブロック図である。図９に示す表示装置１００ａは、第１実施形態にかかる表示装置１００におけるシャッタ３３０がミラー部３００側に設けられていることに代え、シャッタ２３０ａが表示部２００ａ側に設けられる。
具体的には、シャッタ２３０ａは、表示部２００ａにおける表示体２４０のミラー部３００ａ側の面に設けられる。シャッタ２３０ａの開閉状態は、制御部６００ａによって制御される。なお、表示体２４０は、第１実施形態における表示部２００と同様の構成である。
【００７９】
制御部６００ａがシャッタ２３０ａを開状態にすることにより、ハーフミラー３１０に透過性をもたせる。これによって、ミラー部３００ａに、前述の図２（ａ）、図７（ａ）と同様の第１表示像２１０、および前述の図２（ｂ）、図６、図７（ｂ）と同様の第２表示像２２０を透過表示させることができる。
【００８０】
一方、制御部６００ａがシャッタ２３０ａを閉状態にすることにより、ハーフミラー３１０に反射性をもたせる。これによって、ミラー部３００ａに、前述の図２（ｂ）、図６、図７（ｂ）と同様の対象Ｔの鏡像３５０，３５１を視認させることができる。
【００８１】
［第３実施形態］
図１０は、第３実施形態にかかる表示装置の一例を示すブロック図である。図１０に示す表示装置１００ｂは、第１実施形態にかかる表示装置１００に、さらに操作部８００が追加される。
操作部８００は、ミラー部３００に透過表示される第２表示像２２０情報の入力操作、および表示された情報の制御操作等、表示に関する任意の操作を行うものである。操作部８００は、別の機械的構造（コントローラ）として設けられてもよいし、表示装置１００ｂに記録された操作プログラムとして設けられてもよい。
【００８２】
操作部８００が、表示装置１００ｂに記録された操作プログラムである場合、対象Ｔは、第２表示像２２０に手などで接触または非接触でアクセスすることにより、アクセス結果が操作信号に変換されることにより第２表示像２２０を操作することができる。
第２表示像２２０に手でアクセスする場合、第２表示像は、手元が鏡像として映らない図６、図７（ｂ）と同様、顔周囲のみを鏡表示範囲とすることが好ましい。
【００８３】
なお、接触によりアクセスする場合は、抵抗膜方式、表面弾性波方式、電磁誘導方式、静電容量方式などのセンサ、および圧力センサなどによる検知信号を操作信号に変換することができる。これらのセンサは、ミラー部３００の表面に対して対象Ｔが行った操作を検知可能な位置に配置される。
非接触によりアクセスする場合は、検知部４００による検知信号を操作信号に変換することができる。この場合、例えば検知部４００は、カメラからの入力によって対象Ｔの姿態または動作を認識し、その動作に応じた検知信号を操作信号に変換する（所謂ジェスチャ操作）ことができる。
無論、これら対象Ｔの操作により、例えば、鏡表示範囲の拡大および縮小、ならびに、表示と非表示との切り換えを行ってもよい。
【００８４】
［第４実施形態］
図１１は、第４実施形態にかかる表示装置の一例を含む表示システムのブロック図である。図１１に示す表示装置１００ｃは、第１実施形態にかかる表示装置１００に、さらに外部インターネットに通信可能な通信部９００が追加される。
【００８５】
表示システムにおいて、複数の表示装置１００ｃ、課金処理装置９５０、および広告データベースＤＢが、外部インターネットを介して接続される。
課金処理装置９５０は、一般的なコンピュータにより構成され、カウント手段９５１および課金手段９５２を含む。広告データベースＤＢには、広告主に指定された広告情報が記録される。
【００８６】
図１２は、第４実施形態にかかる表示装置に関連する課金処理装置９５０による処理を示すフローチャートである。
表示装置１００ｃが、通信部９００が広告データベースＤＢから広告情報を受信し、第２表示像２２０として広告２２１（図２（ｂ），図６，図７（ｂ）参照）を表示すると、図１２に示すように、課金処理装置９５０は、表示装置１００ｃから広告表示情報を受信する（ステップＳ５１）。課金処理装置９５０のカウント手段９５１は、広告表示情報を受信した数をカウントする（ステップＳ５２）。カウントした数を、基準回数と比較し（ステップＳ５３）、カウント数が基準回数以上である場合（ステップＳ５３の以上）、課金手段９５２が広告主に対して課金処理を行う（ステップＳ５４）。一方、カウント数が基準回数未満である場合（ステップＳ５３の未満）、課金処理は行われない。
【００８７】
なお、この実施形態の例においては、表示装置１００ｃが、広告データベースＤＢからの広告を第２表示像２２０として広告２２１を表示した数がカウントされるが、たとえば、表示装置１００ｃを、前述の表示装置１００ｂが有するような操作部８００が追加されたものとし、対象Ｔが広告２２１にアクセスした数をカウントし、当該広告アクセス数を課金処理装置９５０に送信してもよい。この場合、当該広告アクセス数に基づいて課金処理を行うことができる。
【００８８】
［第５実施形態］
図１３は、第５の実施の形態にかかる表示装置の一例を示すブロック図である。
【００８９】
図１３に示すように、第５の実施の形態にかかる表示装置１００ｄは、第１の実施の形態にかかる表示装置１００の検知部４００にイメージセンサとして録画が可能なカメラ４５０を含む。
【００９０】
この表示装置１００ｄによって、対象Ｔを検知後、第２表示像２２０を表示している状態でカメラ４５０を録画モードに切換え、所定の時間対象Ｔを録画し、その後、表示部２００の少なくとも一部に録画された対象Ｔの録画像を表示する。
【００９１】
［録画モードへの切換え］
カメラ４５０の録画モードへの切換えは、操作部（図示せず）への録画コマンドの操作またはカメラ４５０による画像に基づく録画コマンドの入力、その他検知部４００による録画コマンドの入力のタイミングで行う。
なお、操作部は、表示装置１００ｄに記録された操作プログラムとして設けられてもよいし、別の機械的構造（コントローラ）として設けられてもよい。さらに操作部は、第２表示像２２０に対象Ｔが手などにより接触または非接触（図１０の操作部８００参照）でアクセスすることにより操作してよい。
【００９２】
カメラ４５０による画像に基づく録画コマンドの入力は、カメラ４５０からの画像により対象Ｔの回転を検知し、得られた検知信号を録画コマンドに変換して行う。対象Ｔの回転の検知は、例えばカメラ４５０で顔認識を行うことにより認識された目、鼻、および／または口などの位置変化に基づいてよい。
【００９３】
その他検知部４００による録画コマンドの入力は、たとえば美容院などの大型鏡を用いる場所において、対象Ｔが座っている椅子の回転を検知し、得られた検知信号を録画コマンドに変換して行ってもよい。
【００９４】
［録画モードの終了］
録画モードの終了・中断は、操作部への終了・中断コマンドの操作、カメラ４５０による画像に基づく終了・中断コマンドの入力、その他検知部４００による終了・中断コマンドの入力、または録画モード開始から所定時間経過後のタイミングで行う。
【００９５】
カメラ４５０による画像に基づく終了・中断コマンドの入力は、カメラ４５０からの画像により対象Ｔの回転が終了したことを検知し、検知信号を録画コマンドに変換して行う。この場合、対象Ｔの回転の終了は、対象Ｔの回転が所定時間停止したと判定したことをもって判定してもよいし、対象Ｔが表示装置１００ｄに対して前を向いている状態から横向きおよび後ろ向きなどを経て、再び前を向いた場合に顔認識されることをもって判定してもよい。
【００９６】
その他検知部４００による終了・中断コマンドの入力は、検知部４００からの検知信号により対象Ｔの回転が終了したことを検知し、検知信号を録画コマンドに変換して行う。この場合、対象Ｔの回転の終了は、対象Ｔが座っている椅子の回転角が約３６０度となったことをもって判定してよい。
【００９７】
［録画モードへの切換えおよび録画モードの終了の他の例］
また、対象Ｔの回転検知を契機として録画モードを起動させた場合に、対象Ｔの回転開始から実際に録画が開始するまでのタイムラグが生じる場合は、そのタイムラグに相当する時間も録画データが取得できるように、録画モードを起動させるタイミングを、対象Ｔの回転に先行させることが好ましい。より具体的には、録画モードを起動させるタイミングは、対象Ｔの存在の検知時とすることができる。
【００９８】
この場合、録画時間の上限を定めることもできる。たとえば、対象Ｔの存在検知から回転検知までの録画時間は、所定時間βを録画データ記録時間の上限とし、録画時間がその上限を超えると、録画時点から所定時間βより前に記録した録画データを上書きしながら録画し続けることができる。さらに、回転検知から録画終了・中断までの録画時間は、所定時間βより少ない時間（すなわち、当該所定時間βから所定時間αを差し引いた時間）を上限とし、録画時間が当該上限に達した時点で、または、対象Ｔの回転が当該上限未満の時間で終了した場合は対象Ｔの回転が終了した時点で、録画を終了・中断することができる。
【００９９】
この場合、再生対象となる録画データは、対象Ｔの回転検知時点より所定時間α前の時点から、録画終了・中断の時点までとなる。これによって、対象Ｔは、回転検知時点から所定時間α前の録画データを確認することができる。すなわち、対象Ｔは、回転し始める数秒前（時間α前）の状態から、自身の状態を確認することができる。
なお、所定時間αおよびβは、それぞれ３秒および１５秒とすることができる。しかしながらこれらの時間はこの例示に限定されず、当業者が適宜決定することができる。
【０１００】
［録画像の表示］
表示部２００への表示は、操作部への表示コマンドの操作、または上述の録画モードの終了・中断のタイミングで行う。
録画された対象Ｔの情報を表示する間、鏡表示範囲を非表示としてもよい。その場合は、録画された対象Ｔの情報を、鏡表示範囲として使用していた範囲に表示してもよい。
【０１０１】
表示装置１００ｄは、録画像を表示部２００の一部の範囲に表示する際、録画した動画を静止画として表示し、カメラ４５０により撮影したジェスチャコマンドの入力などによって、録画像の送り、戻しを行う。これによって、対象Ｔは自身の後ろ姿を容易に確認することができる。
【０１０２】
これによって、対象Ｔは、後ろ髪の状態を含めた後姿の確認のために、自身の鏡像を見ていた位置からの無用な視点移動を減らすことができる。なお、表示装置１００ｄに対して再び録画コマンドが操作または入力された場合は、録画モードを再開する。
【０１０３】
さらに、本実施形態においては、カメラ４５０を検知部４００内に設けることとしているが、この態様に限定されず、物理的に独立した単独の機器として設けてもよい。
【０１０４】
（実施形態により奏される効果）
第１実施形態から第４実施形態にかかる表示装置１００，１００ａ，１００ｂ，１００ｃ，１００ｄによると、以下の効果が奏される。
【０１０５】
表示装置１００，１００ａ，１００ｂ，１００ｃ，１００ｄによると、対象Ｔの検知結果にもとづいて、対象Ｔの鏡像３５０，３５１が視認可能な範囲が決定されることにより、当該範囲を鏡として使用しつつ、それ以外の範囲をディスプレイとして使い分けることができる。さらに、対象Ｔが検知されない場合は全面に第１表示像２１０を表示可能な表示装置として使用できる一方、対象Ｔの検知を契機として、特定の範囲つまり輪郭３６０または枠３６１およびその内部の範囲では対象Ｔの鏡像３５０，３５１を視認するとともに、当該範囲外では第２表示像２２０の表示に切り替えることができる。
【０１０６】
表示装置１００ｃによると、通信部９００をさらに含んでいることにより、表示部２００に、インターネット通信によって取得される情報を表示させることができる。
【０１０７】
表示装置１００ｂによると、操作部８００をさらに含んでいることにより、表示部２００に表示される第２表示像２２０の入力操作、および表示された情報の制御操作等、表示に関する任意の操作が可能である。さらに、表示装置１００ｂの操作部８００は検知部４００による検知信号を操作信号に変換するため、対象Ｔ自身が非接触インターフェースによって、対象Ｔの鏡像３５０，３５１とともに表示される第２表示像２２０の操作を行うことができる。
【０１０８】
表示装置１００，１００ａ，１００ｂ，１００ｃ，１００ｄによると、検知部４００が、対象Ｔを撮影するイメージセンサ、対象Ｔとの距離を検知するセンサ、および対象Ｔの温度を検知するセンサの少なくともいずれかであるため、対象Ｔの像、対象Ｔとの距離、および対象Ｔの温度の少なくともいずれかを認識することで、対象Ｔが表示装置１００，１００ａ，１００ｂ，１００ｃ，１００ｄから所定範囲内に存在することを検知することが可能である。さらに、対象Ｔの像のイメージ処理、対象Ｔとの距離に基づいたイメージング結果、および対象Ｔの温度に基づいたイメージング結果の少なくともいずれかに基づいて、対象Ｔの鏡像３５０，３５１を視認可能な範囲を決定することができる。
【０１０９】
表示装置１００，１００ａ，１００ｂ，１００ｃ，１００ｄによると、切換え部７００は、対象Ｔの顔とミラー部３００，３００ａとが相対向している場合にのみ第２表示像２２０に切り替えるとしてよいため、対象Ｔがミラー部３００，３００ａを見ていない場合には第１表示像２１０から切換わらない。したがって、不所望な場合に表示切換えを防ぐことができる。
【０１１０】
表示装置１００，１００ａ，１００ｂ，１００ｃ，１００ｄによると、対象Ｔの検知結果は、対象Ｔの少なくとも一部の輪郭３６０としてよく、かつ鏡表示範囲の外縁は、対象Ｔの輪郭３６０に対応するように設定されてよいため、対象Ｔの鏡像３５０を視認可能な範囲を必要最小限とし、それ以外の範囲をデジタルディスプレイとして最大限利用することができる。
【０１１１】
表示装置１００，１００ａ，１００ｂ，１００ｃ，１００ｄによると、対象Ｔの検知結果は、対象Ｔの顔の位置あるいは鼻または目の位置の抽出結果であってよく、かつ、対象の顔の位置あるいは鼻または目の位置を基準とした所定の範囲を鏡表示範囲として決定してよいため、対象Ｔの顔および顔周りのみを鏡像３５１として視認可能とすることができる。
【０１１２】
（第１実施形態から第４実施形態および他の例における各部と請求項の各構成要素との対応関係）
本発明において、表示装置１００，１００ａ，１００ｂ，１００ｃ，１００ｄが「表示装置」に相当し、表示部２００，２００ａが「表示部」に相当し、第１表示像２１０が「第１表示像」に相当し、第２表示像２２０が「第２表示像」に相当し、ミラー部３００，３００ａが「ミラー部」に相当し、鏡像３５０，３５１が「反射像」に相当し、輪郭３６０が「輪郭」に相当し、検知部４００が「検知部」に相当し、カメラ４５０が「録画装置」に相当し、分析部５００が「分析部」に相当し、制御部６００，６００ａが「制御部」に相当し、切換え部７００が「切換え部」に相当し、操作部８００が「操作部」に相当し、通信部９００が「通信部」に相当し、対象Ｔが「対象」に相当する。
【０１１３】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【０１１４】
１００，１００ａ，１００ｂ，１００ｃ，１００ｄ  表示装置
２００，２００ａ  表示部
２１０  第１表示像
２２０  第２表示像
３００，３００ａ  ミラー部
３５０，３５１  鏡像
３６０  輪郭
４００  検知部
４５０  カメラ
５００  分析部
６００，６００ａ  制御部
７００  切換え部
８００  操作部
９００  通信部
Ｔ  対象
【図１】
2014238434.tif 000003
【図２】
2014238434.tif 000004
【図３】
2014238434.tif 000005
【図４】
2014238434.tif 000006
【図５】
2014238434.tif 000007
【図６】
2014238434.tif 000008
【図７】
2014238434.tif 000009
【図８】
2014238434.tif 000010
【図９】
2014238434.tif 000011
【図１０】
2014238434.tif 000012
【図１１】
2014238434.tif 000013
【図１２】
2014238434.tif 000014
【図１３】
2014238434.tif 000015